(57)【特許請求の範囲】
【請求項１】
励磁コイルによって発生される磁界内に磁性体を通過させることによりその磁性体の磁気を消去する消磁方法であって、
商用交流電源の周波数より低い周波数の電流部分を含む交流励磁電流を発生し、その交流励磁電流を前記励磁コイルに供給することを含み、
前記交流励磁電流は、商用交流電源の周波数より低い値の低周波数から、商用交流電源の周波数より高い値の最高周波数に向かう周波数変化を連続的に繰り返し、また隣り合う周波数変化の間の通電停止時間はゼロである、消磁方法。
【請求項２】
消磁のための交番磁界を発生する励磁コイルと、
交流を整流し平滑する整流平滑手段と、
整流・平滑された電流を基に、商用交流電源の周波数より低い周波数の電流部分を含む交流励磁電流発生し、その交流励磁電流を前記励磁コイルに供給する通電手段とを含み、
前記交流励磁電流は、商用交流電源の周波数より低い値の低周波数から、商用交流電源の周波数より高い値の最高周波数に向かう周波数変化を連続的に繰り返し、また隣り合う周波数変化の間の通電停止時間はゼロである、消磁装置。
【請求項３】
前記通電手段は、
整流・平滑された電流を間欠的な電流に変換する間欠通電回路及び該間欠通電回路を制御する間欠通電ドライバーを備える間欠通電手段と、
該間欠通電手段の出力信号の極性を切り換えて前記励磁コイルに供給する極性切換回路及び該極性切換回路を制御する極性切換ドライバーを含む極性切換手段と、
間欠通電信号及び極性切換指令を、それぞれ、前記間欠通電ドライバー及び前記極性切換ドライバーに供給する信号処理手段とを含む、請求項２に記載の消磁装置。
【請求項４】
前記通電手段は、
複数のトランジスタを用いたブリッジ回路を備える間欠通電切換回路であって整流・平滑された電流を間欠的な電流に変換すると共に極性を切り換えて前記励磁コイルに供給する間欠通電切換回路と、
前記複数のトランジスタを制御する間欠通電切換ドライバーと、
間欠通電切換指令を前記間欠通電切換ドライバーに供給する信号処理手段と
含む、請求項２に記載の消磁装置。
【請求項５】
前記信号処理手段は、消磁開始指令を受けたことにより動作を開始し、消磁停止指令を受けたことにより動作を停止する、請求項３又は４に記載の消磁装置。
【請求項６】
前記信号処理手段は、前記交流励磁電流の間欠通電時間及び周波数の少なくとも一方を設定する設定器を備える、請求項３，４又は５に記載の消磁装置。
【請求項７】
前記信号処理手段は、
前記交流励磁電流の通電方向を指定する複数の動作指定信号と前記交流励磁電流の周波数を指定する複数の通電時間指定信号とを記憶しているメモリー回路と、
前記複数の動作指定信号及び前記複数の通電時間指定信号のためのアドレスを前記メモリー回路に、初期アドレスから最終アドレスまでその順次指定すると共にそのようなアドレス順次指定を繰り返すアドレス指定信号を発生するアドレス指定回路とを含む、請求項３，４，５又は６に記載の消磁装置。
【請求項８】
前記メモリー回路は、さらに、前記交流励磁電流を前記励磁コイルに間欠的に供給するための通電停止時間を指定する通電停止時間指定信号を記憶している、請求項７に記載の消磁装置。
【発明の詳細な説明】
【０００１】
【発明の属する技術分野】
本発明は、交流励磁電流が供給される励磁コイルによって発生された磁界内に磁性体を通すことにより、その磁性体の磁気を消去する消磁方法及び装置に関する。
【０００２】
【従来の技術】
磁性体が励磁コイルで発生された交番磁界内を通過することにより、その磁性体の磁気を消去する従来の消磁技術においては、一般に、５０Ｈｚ又は６０Ｈｚの商用交流電流を励磁コイルに供給している。
【０００３】
しかし、そのような消去技術では、被消磁物である磁性体が励磁コイルで発生される磁界内に存在するとき、励磁コイルのインダクタンスＬと、このインダクタンスＬ及び抵抗Ｒの比で決まるτ＝Ｌ／Ｒとが増加して、電流値が減少するため、発生する磁界も減少し、その結果十分な消磁効果が得られない場合があるという問題を有している。
【０００４】
上記問題を解消すべく交流励磁電流の電圧を上げて、電流値を増加させると、使用電力量が著しく増大するから、励磁コイルの発熱が大きくなり、装置の安定な運転が妨げられる。
【０００５】
励磁コイルの発熱を小さくするためには、励磁コイルを大きくしなければならないが、そのようにすると、消磁装置が大型化する。また、電流値が常に大きいと、磁性体に作用する磁気的吸引力が常に大きくなるから、磁性体を磁界内に通すための操作が難しくなる。
【０００６】
【解決しようとする課題】
本発明の目的は、励磁コイルを大きくしなくても、従来技術に比べ、優れた消磁効果を生じさせることにある。
【０００７】
【解決手段、作用、効果】
本発明に係る消磁方法は、励磁コイルによって発生される磁界内に磁性体を通過させることによりその磁性体の磁気を消去する消磁方法であって、商用交流電源の周波数より低い周波数の電流部分を含む交流励磁電流を発生し、その交流励磁電流を前記励磁コイルに供給することを含む。
【０００８】
本発明に係る消磁装置は、消磁のための交番磁界を発生する励磁コイルと、交流を整流し平滑する整流平滑手段と、整流・平滑された電流を基に、商用交流電源の周波数より低い周波数の電流部分を含む交流励磁電流発生し、その交流励磁電流を前記励磁コイルに供給する通電手段とを含む。
【０００９】
商用交流電源の周波数より低い周波数を有する交流励磁電流は、励磁コイルのインダクタンスＬが大きく、したがってインダクタンスＬと抵抗Ｒとの比によって定まる時定数τ＝Ｌ／Ｒが大きい場合であっても、商用交流電源の周波数を使用する従来技術に比べ、励磁コイルに流れる電流を大きな電流とすることができる。
【００１０】
それゆえに、本発明によれば、励磁コイルの発生起磁力が大きくなり、従来技術に比べ、優れた消磁効果を達成することができる。
【００１１】
前記交流励磁電流を前記励磁コイルに間欠的に供給することができる。そのようにすれば通電停止期間が、交流励磁電流の通電パターンに挿入されるから、使用電力量の平均値が減少し、それにより消磁領域内で磁性体に作用する磁気的吸引力が平均的に減少するから、磁性体を磁界内に通過させる操作が容易になる。
【００１２】
本発明において、前記交流励磁電流は、商用交流電源の周波数より低い値の低周波数から、商用交流電源の周波数より高い値の最高周波数に向かう周波数変化を繰り返し、また隣り合う周波数変化の間の通電停止時間はゼロである。
【００１３】
前記交流励磁電流が最低周波数と最高周波数との間で周波数スイープを繰り返す電流部分を含む電流の場合、前記最低周波数は商用交流電源の周波数より低い値を有し、前記最高周波数は商用交流電源の周波数より高い値を有することができる。そのようにすれば、交流励磁電流の平均値、すなわち電力の平均値がより小さくなり、使用電力量がより減少する。また、消磁領域内で磁性体に作用する磁気的吸引力の平均値がより減少し、磁性体を磁界内に通過させる操作がより容易になる。
【００１４】
前記周波数スイープは前記最低周波数から前記最高周波数に向かって行うことができる。そのようにすれば、より安定した消磁効果が得られる。周波数スイープを前記のように行う場合、周期の減衰比（直前の周期に対する直後の周期の比）は、必ずしも一定である必要はないが、０．８以上から０．９以下の範囲とすることがより好ましい。終期の比が小さすぎると、消磁効果が不十分になり、大きすぎると、一回のスイープに時間がかかりすぎる。
【００１５】
前記交流励磁電流は、繰り返される周波数スイープ毎に電流の休止期間を有することができる。そのようにすれば、周波数スイープに加えて、電流の停止期間が存在するから、使用電力量の平均値がより減少し、それにより消磁領域内で磁性体に作用する磁気的吸引力が平均的により減少するから、磁性体を磁界内に通過させる操作がより容易になる。
【００１６】
好ましい実施例においては、前記通電手段は、整流・平滑された電流を間欠的な電流に変換する間欠通電回路及び該間欠通電回路を制御する間欠通電ドライバーを備える間欠通電手段と、該間欠通電手段の出力信号の極性を切り換えて前記励磁コイルに供給する極性切換回路及び該極性切換回路を制御する極性切換ドライバーを含む極性切換手段と、間欠通電信号及び極性切換指令を、それぞれ、前記間欠通電ドライバー及び前記極性切換ドライバーに供給する信号処理手段とを含む。
【００１７】
好ましい他の実施例においては、前記通電手段は、複数のトランジスタを用いたブリッジ回路を備える間欠通電切換回路であって整流・平滑された電流を間欠的な電流に変換すると共に極性を切り換えて前記励磁コイルに供給する間欠通電切換回路と、前記複数のトランジスタを制御する間欠通電切換ドライバーと、間欠通電切換指令を前記間欠通電切換ドライバーに供給する信号処理手段とを含む。そのようにすれば、間欠通電手段を間欠通電回路の機能と極性切換回路の機能とを備えた一体的な手段として構成することができるし、間欠通電切換ドライバーを間欠通電ドライバーと極性切換ドライバーを備えた一体的な手段として構成することができる。
【００１８】
前記信号処理手段は、消磁開始指令を受けたことにより動作を開始し、消磁停止指令を受けたことにより動作を停止するようにしてもよい。
【００１９】
前記信号処理手段は、前記交流励磁電流の間欠通電時間及び周波数の少なくとも一方を設定する設定器を備えることができる。そのようにすれば、消磁すべき磁性体に応じて、間欠通電位置サイクル毎の通電停止時間のような間欠通電条件を設定することができるし、極性切換周波数を設定することができる。そのような通電停止時間や極性切換周波数に基づく動作のために、信号処理手段は、さらに、パルス発生器のようなタイマーを備えることができる。
【００２０】
前記信号処理手段は、前記交流励磁電流の通電方向を指定する複数の動作指定信号と前記交流励磁電流の周波数を指定する複数の通電時間指定信号とを記憶しているメモリー回路と、前記複数の動作指定信号及び前記複数の通電時間指定信号のためのアドレスを前記メモリー回路に、初期アドレスから最終アドレスまでその順次指定すると共にそのようなアドレス順次指定を繰り返すアドレス指定信号を発生するアドレス指定回路とを含むことができる。そのようにすれば、メモリー回路に記憶されている複数の動作指定信号及び複数の通電時間指定信号からなる少なくとも１つの通電パターンが繰り返し発生されて、磁性体がより効果的に消磁される。
【００２１】
前記メモリー回路は、さらに、前記交流励磁電流を前記励磁コイルに間欠的に供給するための通電停止時間を指定する通電停止時間指定信号を記憶していてもよい。
【００２２】
【発明の実施の形態】
図１、図２及び図３を参照して、本発明で用いる消磁パターン、すなわち通電パターンの例について説明する。いずれの通電パターンも交流励磁電流を、数サイクルずつ通電するように示しているが、さらに多くのサイクルずつ通電するようにしてもよい。
【００２３】
図１に示す通電パターンは、商用交流電源の周波数より低い一定周波数の交流励磁電流Ｉaを、通電停止期間をおいて励磁コイルに複数サイクルずつ間欠的に供給する例である。交流励磁電流Ｉａの通電期間Ｔａと通電停止期間Ｔｂとは、消磁すべき磁性体の種類に応じて、実験により適宜な値、例えば、消磁効果を損なわない短時間の値に設定される。
【００２４】
交流励磁電流Ｉａの周波数は、商用交流電源の周波数より低い周波数範囲、例えば、２Ｈｚ以上で３０Ｈｚ以下、好ましくは５Ｈｚ以上で２０Ｈｚ以下の範囲内の一定周波数に設定されている。そのような周波数を有する間欠的な交流励磁電流Ｉａを用いると、励磁コイルの発生起磁力が大きくなり、従来技術に比べて優れた消磁効果を確実に達成することができるし、磁性体を磁界内に通過させる操作が容易になる。
【００２５】
図１に示す通電パターンにおいて、交流励磁電流Ｉａの周波数を商用周波数より低い周波数範囲内で又はそのような周波数範囲を超えて変化させてもよい。また、商用周波数より低い周波数を有する交流励磁電流を、通電停止期間Ｔｂをおくことなく、励磁コイルに連続的に供給してもよい。
【００２６】
図２に示す通電パターンは、交流励磁電流Ｉｂをその周波数スイープをさせて繰り返して、励磁コイルに供給される例である。一回の周波数スイープの期間Ｔｃは、消磁すべき磁性体の種類に応じて、実験により例えば消磁効果を損なわない短時間の値に設定される。
【００２７】
交流励磁電流Ｉｂは、許容値内の最低周波数から最高周波数に向けてスイープされる。少なくとも最低周波数は、商用交流電源の周波数より低い値に設定されている。しかし、最高周波数は、商用交流電源の周波数より高い値に設定されている。
【００２８】
周波数スイープをされる交流励磁電流Ｉｂの周波数は、周波数スイープのたびに、最低周波数から最高周波数に向けて変化される。低い周波数においては、高い周波数に比べ、周期が長くなるから、多くの電流が励磁コイルに供給される。このため、磁性体を磁界内に通過させる操作が容易であるにもかかわらず、より安定した消磁効果が得られる。
【００２９】
スイープの間における周期の減衰比（直前の周期Ｔ1に対する直後の周期Ｔ2の比Ｔ2／Ｔ1）は、一定であってもよいが、０．８以上から０．９以下の範囲とすることができる。それにより、一回のスイープが短時間で行われるにもかかわらず、十分な消磁効果が得られる。繰り返しの周期は、消磁すべき磁性体の種類に応じて、実験により適宜な値に設定される。
【００３０】
図３に示す通電パターンは、図２に示すパターンにおいて、繰り返される周波数スイープ毎に励磁電流の通電停止期間Ｔｂをおいた例である。交流励磁電流Ｉｃは、許容範囲内の最低周波数から最高周波数に向けてスイープされる。少なくとも最低周波数は、商用交流電源の周波数より低い値に設定されている。しかし、最高周波数は、商用交流電源の周波数より低い値及び高い値のいずれに設定してもよい。
【００３１】
交流励磁電流Ｉｃは、周波数スイープに加えて、励磁電流の通電停止期間Ｔｂが存在するから、使用電力量の平均値がより減少し、それにより消磁領域内で磁性体に作用する磁気的吸引力が平均的により減少し、磁性体を磁界内に通過させる操作がより容易になる。
【００３２】
次に、図４、図５及び図６を参照して、消磁装置の実施例について説明する。
【００３３】
図４を参照するに、消磁装置１０は、入力端子１２に供給される商用交流電流を基に交流励磁電流を発生し、その交流励磁電流を消磁用の励磁コイル１４に供給する。
【００３４】
消磁装置１０は、端子１２に供給される交流を整流平滑回路１６において整流して平滑し、整流・平滑された直流を間欠通電回路１８、電流検出回路２０、極性切換回路２２及び電圧検出回路２４をその順に介して消磁用の交流励磁電流として励磁コイル１４に供給する。
【００３５】
消磁装置１０は、前記の各回路１６〜２４のほかに、極性切換回路２２を制御するための極性切換信号と励磁電圧を調整するためのパルス信号とを発生する信号処理回路２６と、極性切換信号を用いて極性切換回路２２を作動させる極性切換ドライバー３０と、パルス状の間欠通電信号を用いて間欠通電回路１８を作動させる間欠通電ドライバー３２とを含む。
【００３６】
整流平滑回路１６は、端子１２に供給される交流をダイオードのような適宜な電子部品から構成されたブリッジ回路３４で整流し、その整流出力をブリッジ回路３４の出力端子に並列に接続されたコンデンサ３６で平滑する既知の回路である。
【００３７】
間欠通電回路１８は、パワートランジスタ３８を整流平滑回路１６の出力に直列的に接続し、ダイオード４０を整流平滑回路１６の出力に並列的に接続している。パワートランジスタ３８は間欠通電ドライバー３２によりオン・オフ制御をされ、それにより励磁電圧は所定の電圧とゼロ電圧とに切り換えられる。
【００３８】
励磁電圧とは励磁電流を励磁コイル１４に供給するための電圧であり、ゼロ電圧とは励磁コイル１４への励磁電流の通電を停止することを意味する。
【００３９】
電流検出回路２０は、整流平滑回路１６の出力電流の実際値を抵抗器４２により検出する既知の回路であり、また抵抗器４２の端子間電圧を電流検出信号として信号処理回路２６へ供給する。
【００４０】
極性切換回路２２は、励磁コイル１４への励磁電流の通電方向（極性）を脱磁すなわち消磁のために切り換える既知の回路であり、リレーの一対の接点４４により構成されている。両接点４４は、極性切換ドライバー３０により同期して駆動される。
【００４１】
極性切換ドライバー３０は、信号処理回路２６から出力される極性切換信号を基に、所定の周波数を有する励磁電流を励磁コイル１４に供給させるべく接点４４に対応するリレーへの通電を制御する。この例においては、極性切換信号は、商用交流電源の周波数より低い所定の周波数を有している。
【００４２】
電圧検出回路２４は、正側端子が極性切換回路２２から励磁コイル１４への励磁電流の供給路に接続された一対のダイオード４６，４８と、両ダイオード４６，４８の負側端子とアースとの間に直列に接続された一対の抵抗器５０，５２と、一方の抵抗器５２に並列に接続されたコンデンサ５４とを備える。電圧検出回路２４は、一方の抵抗器５２の端子間電圧を電圧検出信号として信号処理回路２６に供給する。
【００４３】
信号処理回路２６は、励磁電流の最大許容値と目標電圧とを設定する基準値設定器５６とを備える。信号発生回路５８は消磁開始指令Ｓ1が入力したことにより動作を開始し、消磁停止指令Ｓ2が入力したことにより動作を終了する。消磁開始指令Ｓ1及び消磁停止指令Ｓ2は、作業者が所定のスイッチを操作したことにより発生される。しかし、消磁開始指令Ｓ1及び消磁停止指令Ｓ2を制御装置から自動的に発生するようにしてもよい。
【００４４】
基準値設定器５６は、励磁電流の最大許容値を設定する電流設定部と、励磁電流の目標電圧を設定する電圧設定部とを有する。設定された最大許容値及び目標電圧は、信号処理回路２６内の信号発生回路５８に供給される。
【００４５】
最大許容値及び目標電圧は、それぞれ、信号発生回路５８が動作している間、信号発生回路５８から電流比較回路６０及び電圧比較回路６２に供給され、比較回路６０及び６２において電流検出回路２０からの電流検出信号及び電圧検出回路２４からの電圧検出信号と比較される。
【００４６】
これにより、励磁コイル１４に供給される電流及び電圧が基準値設定器５６に設定された電流及び電圧を超えないように、過剰の励磁電流及び電圧がそれぞれ比較器６０及び６２でチェックされる。
【００４７】
電流比較回路６０は、電流検出信号が最大許容値以上になったときに異常信号をパルス幅制御回路６４に出力する。これに対し、電圧比較回路６２は、目標電圧と電圧検出信号との差に対応する信号をパルス幅制御回路６４に出力する。
【００４８】
パルス幅制御回路６４は、間欠通電回路１８のトランジスタ３８のオン・オフを制御するパルス信号を発生する回路であり、常時は電圧比較回路６２の出力信号に応じたパルス幅のパルス信号を間欠通電ドライバー３２に出力し、電流比較回路６０から異常信号が入力したときはパルス信号の発生を阻止する信号を間欠通電ドライバー３２に出力する。
【００４９】
間欠通電ドライバー３２は、パルス信号がパルス幅制御回路６４から供給されるたびに、そのパルス幅に対応する時間だけトランジスタ３８をオンにさせる間欠通電信号を出力する。その結果、トランジスタ３８は、パルス幅制御回路６４からのパルス信号のパルス幅に比例した時間だけオンにされ、励磁電流は、その実際値が最大許容値以下となり、電圧の実際値が目標値となるように、制御される。
【００５０】
上記の結果、商用交流電源の周波数より低い周波数範囲内の一定周波数を有する交流励磁電流が励磁コイル１４に供給され、それにより交番磁界が励磁コイル１４から発生される。そのような交番磁界中を磁性体が通過するとき、交番磁界が磁性体に作用する。磁性体に作用する交番磁界は、磁性体が励磁コイル１４から離れるにしたがって、弱くなる。
【００５１】
上記のように商用交流電源の周波数より低い周波数を有する交流励磁電流を用いると、供給励磁コイル１４の発生起磁力が大きくなり、従来技術に比べ、優れた消磁効果を得ることができる。その結果、磁性体は、見かけ上減衰性交番磁界が磁性体に作用することとあいまって、確実に消磁される。
【００５２】
図１に示す通電パターンを有する交流励磁電流Ｉａを励磁コイル１４に供給する消磁装置１０の場合、信号処理回路２６は、さらに、極性切換回路２２における極性切換時間、すなわち交流励磁電流の周波数を設定する周波数設定器６６と、励磁電流の通電時間及び通電停止時間を間欠通電条件として設定する間欠通電条件設定器６８とを備えることができる。設定器６６，６８に設定された値は、信号発生回路５８に供給される。
【００５３】
信号発生回路５８は、タイマーを備えており、動作している間、周波数設定器６６及び間欠通電条件設定器６８に設定された極性切換時間及び間欠通電条件に応じた信号を、それぞれ、極性切換ドライバー３０及びＰＷＭ制御回路６４に供給する。
【００５４】
極性切換ドライバー３０は、信号発生回路５８から供給される極性切換時間に応じた周波数を有する極性切換信号を極性切換ドライバー３０に供給する。ＰＷＭ制御回路６４は、電圧比較回路６２の出力信号と信号発生回路５８から供給される間欠通電条件に応じたパルス信号を間欠通電ドライバー３２に供給する。
【００５５】
上記のようにして、商用交流電源の周波数より低い周波数範囲内の一定周波数を有する交流励磁電流が励磁コイル１４に間欠的に供給され、それにより交番磁界が励磁コイル１４から間欠的に発生される。その結果、使用電力量の平均値が減少するから、消磁領域内で磁性体に作用する磁気的吸引力が平均的に減少し、磁性体を交番磁界内に通過させる操作が容易になる。
【００５６】
図５を参照するに、消磁装置８０は、図４に示す消磁装置１０における間欠通電回路１８と極性切換回路２２とを合わせて間欠通電切換回路８２として一体的に構成していると共に、図４に示す消磁装置１０における極性切換ドライバー３０と間欠通電ドライバー３２とを合わせて間欠通電切換ドライバー８６として一体的に構成している。
【００５７】
間欠通電切換回路８２は、４つのトランジスタ８４ａ，８４ｂ，８４ｃ，８４ｄと４つのダイオードとを用いてブリッジ回路とされた無接点の回路に構成されている。間欠通電切換回路８２のトランジスタは、間欠通電切換ドライバー８６によりオン・オフを制御されて、励磁電圧を目標電圧に調整すると共に、励磁電流が最大許容値を越えないように調整する。
【００５８】
間欠通電切換ドライバー８６は、設定器５６，６６，６８に設定された設定値に応じた極性切換信号を信号発生回路５８から受け、間欠通電切換回路８２のトランジスタのオン・オフを制御する。これにより、消磁装置１０と同様の交番磁界が励磁コイル１４から発生される。
【００５９】
消磁装置８０は、市販されている絶縁型直流電流センサ（ＤＣＣＴ）を電流検出回路８８として用い、その電流検出回路８８を間欠通電切換回路８２の出力側に配置しており、また互いに直列に接続された一対の抵抗器５０，５２を用いた電圧検出回路９０を整流平滑回路１６と間欠通電切換回路８２との間に配置している。
【００６０】
消磁装置８０は、さらに、間欠通電切換回路８２と励磁コイル１４との間に配置された出力有無検出回路９２と、断線検出回路９４とを含む。出力有無検出回路９２は間欠通電切換回路８２の出力の正側に接続され、断線検出回路９４は間欠通電切換回路８２の負側に接続されている。
【００６１】
両回路９２，９４は、互いに直列に接続された一対の抵抗器を用いた同じ回路構成とされている。このため、消磁時、間欠通電切換回路８２の出力の正側と負側とは極性切換動作により交代するが、その場合両回路９２，９４はその役割を交代する。
【００６２】
出力有無検出回路９２に出力電圧が得られると間欠通電切換回路８２の出力ありとなり、断線検出回路９４にも出力が得られると励磁コイル１４に断線がないことになる。両回路９２及び９４の出力有無検出信号及び断線検出信号は、エラー検出判定回路９６に供給されて、エラーの判定に用いられる。
【００６３】
上記の検出信号が出力有無検出信号であるか、断線検出信号であるかについての判定は、エラー検出判定回路９６において信号発生回路５８からの極性切換信号を用いて極性切換信号と同期して行われる。
【００６４】
エラー検出判定回路９６においてエラーと判定されると、エラー信号がエラー検出判定回路９６から報知装置９８に供給されて、報知装置９８によりブザーの鳴動、ランプの点灯等によりエラーの報知が行われる。
【００６５】
電流検出回路８８及び電圧検出回路９０の電流検出信号及び電圧検出信号もエラー検出判定回路９６に供給されて、過電流エラー及び過電圧エラーの判定に用いられる。過電流エラー及び過電圧エラーのいずれも場合も、エラー発生信号がエラー報知装置９８において報知される。
【００６６】
消磁装置８０は、間欠通電切換回路８２による励磁電流のオン・オフにともなって発生する回生電圧を吸収する回生電圧吸収回路１００を含む。回生電圧吸収回路１００は、電圧検出回路９０と間欠通電切換回路８２との間に配置されており、また互いに直列に接続された抵抗器１０２及びトランジスタ１０４により構成されている。
【００６７】
抵抗器１０２及びトランジスタ１０４の直列接続回路は、整流平滑回路１６に対して並列に接続されている。トランジスタ１０４はドライバー１０６により制御され、ドライバー１０６はエラー検出判定回路９６からのエラー発生信号を受ける信号発生回路５８により制御される。
【００６８】
高電圧の回生電圧が発生すると、電圧検出信号が電圧検出回路９０からエラー検出判定回路９６に供給され、エラー信号がエラー検出判定回路９６から出力される。これにより、信号発生回路５８は、オン指示信号をドライバー１０６に出力し、ドライバー１０６はトランジスタ１０４をオンにする。
【００６９】
トランジスタ１０４がオンになると、電流が抵抗器１０２及びトランジスタ１０４に流れるから、回生電圧が抵抗器１０２及びトランジスタ１０４に吸収されて、回生電圧による整流平滑回路１６のコンデンサ３６の破壊が防止される。
【００７０】
エラー信号がエラー検出判定回路９６から発生されたときは、そのエラー信号を信号発生回路５８に供給して消磁を一時中断させることが好ましい。
【００７１】
図５において、丸印の中の符号は、同じ符号の箇所が電気的に互いに接続されることを意味する。
【００７２】
消磁装置８０は、回路８２，８６，８８，９０，９２，９４，９６，１００，１０６及び報知装置９８が上記のように作動することを除いて、図４に示す消磁装置１０と同様に作動する。
【００７３】
図６を参照するに、消磁装置１１０は、図５に示す消磁装置８０における周波数設定器６６及び間欠通電条件設定器６８の代わりに、１以上の間欠通電パターンが記憶されたメモリー回路１１２と、メモリー回路１１２のアドレスを指定するアドレス指定回路１１４と、初期アドレスが設定される初期アドレス設定器１１６とを信号処理回路２６に配置している。
【００７４】
各間欠通電パターンは、時間幅（パルス幅）が漸次減少しかつ極性が交互になる複数のパルス信号がメモリー回路１１２から出力されるパターンであり、第１項から第ｘ項（最終項）までの励磁状態を有する。
【００７５】
間欠通電パターンの各項（半サイクルの期間）は、励磁コイル１４への通電方向（極性）を指定する動作指定信号と、励磁コイル１４への通電時間を指定する時間指定信号との組合せからなる。各間欠通電パターンの最終項ｘは、さらに、アドレス指定回路１１４の指定アドレスを初期アドレス設定器１１６に設定されているアドレスに戻すことを指令する繰り返し指令を含む。
【００７６】
各間欠通電パターンの信号は、メモリー回路１１２の連続するアドレスに記憶されており、対応するアドレスがアドレス指定回路１１４により指定されたとき、メモリー回路１１２から信号発生回路５８に出力される。
【００７７】
アドレス指定回路１１４から出力される最初のアドレスは、初期アドレス設定器１１６に設定された初期アドレスである。また、アドレス指定回路１１４は、アドレス変更指令が信号発生回路５８から供給されるたびに、出力するアドレスを変更する。アドレス変更指令は、信号発生回路５８が所定の信号をＰＷＭ制御回路６４及び間欠通電ドライバー８６に出力するたびに、発生される。
【００７８】
アドレス指定回路１１４におけるアドレスの変更は、消磁停止信号Ｓ2がアドレス指定回路１１４に供給されるまで、信号発生回路５８から出力されるアドレス変更指令を受けるたびに行われる。アドレス指定回路１１４は、繰り返し指令がメモリー回路１１２から供給されると、アドレスを初期アドレス設定器１１６に設定されているアドレスに戻す。
【００７９】
初期アドレス設定器１１６に設定される初期アドレスは、間欠通電パターン中の消磁を開始すべき任意な項、例えば第ｉ項に対応するアドレスであり、消磁対称物に応じて作業者により予め設定される。
【００８０】
消磁時、先ず、消磁開始指令Ｓ1がアドレス指定回路１１４に入力される。これにより、アドレス指定回路１１４は、初期アドレス設定器１１６に設定された初期アドレスを取り込み、その初期アドレスをメモリー回路１１２に出力する。初期アドレスが初期アドレス設定器１１６に設定されていないと、アドレス指定回路１１４は、間欠通電パターンの第１項のアドレスを初期アドレスとして出力する。
【００８１】
次いで、初期アドレスに対応する間欠通電パターンの項の動作指定信号及び時間指定信号がメモリー回路１１２から信号発生回路５８に出力され、信号発生回路５８は供給された動作指定信号及び時間指定信号に対応する間欠通電切換信号を間欠通電切換ドライバー８６に出力する。
【００８２】
これにより、間欠通電切換ドライバー８６は、励磁コイル１４への通電方向を間欠通電切換信号により指定された方向に切り換えると共に、間欠通電切換信号により指定された時間だけその状態に維持する。その結果、励磁電流が励磁コイル１４に所定の方向に所定時間供給される。
【００８３】
次いで、アドレス変更指令が信号発生回路５８からアドレス指定回路１１４に供給されたことにより、アドレス指定回路１１４は次のアドレスをメモリー回路１１２に指定して次のアドレス内の動作指定信号及び時間指定信号をメモリー回路１１２から信号発生回路５８に出力させる。
【００８４】
これにより、信号発生回路５８は、供給された動作指定信号及び時間指定信号に対応する新たな間欠通電切換信号を間欠通電切換ドライバー８６に出力し、間欠通電切換ドライバー８６は励磁コイル１４への通電方向を新たな間欠通電切換信号により指定された方向に切り換えて新たな間欠通電切換信号により指定された時間だけその状態に維持する。その結果、励磁電流が励磁コイル１４に前回と逆の方向に所定時間供給される。
【００８５】
上記の過程が複数回繰り返されることにより、励磁コイル１４は、通電時間が漸次減少しかつ極性が交互になる励磁電流を受けて、漸次減衰する交番磁界を発生する。それにより、消磁対象物は漸次消磁される。
【００８６】
消磁装置１１０において、図２に示すように周波数スイープをされる交流励磁電流を繰り返し励磁コイル１４に供給する場合は、通電停止時間がゼロのパターンをメモリー回路１１２に記憶しておき、そのパターンを繰り返し出力すればよい。
【００８７】
また、図３に示すように、繰り返される周波数スイープ毎に励磁電流の通電停止期間Ｔｂをおいた通電パターンを有する交流励磁電流を励磁コイル１４に供給する場合は、繰り返される周波数スイープ毎に励磁電流の通電停止期間Ｔｂをおいたパターンをメモリー回路１１２に記憶しておき、そのパターンを繰り返し出力すればよい。
【００８８】
消磁装置１１０のように消磁動作を間欠通電パターンの第１項のみならず、任意な第ｉ項から開始することができると、同じ消磁パターンを複数種類の消磁で共通に使用することができるから、小容量のメモリー回路で多種類の工作物の消磁をすることができる。
【００８９】
消磁装置１０．８０，１１０において、回路１８，２２，８２がパルス信号により駆動されるにもかかわらず、励磁コイル１４に流れる電流が図１から図３に示すように変化する理由は、主として、励磁コイル１４のインダクタンスＬに起因する応答速度の遅延によるものと考えられる。
【００９０】
次に、図７を参照して、上記消磁装置１０，８０，１１０の応用例について説明する。
【００９１】
図７（Ａ）を参照するに、消磁器１２０は、搬送ベルト１２２により矢印方向へ連続して搬送される複数の磁性体１２４を消磁器１２０で発生する交番磁界内に通すことにより、それらの磁性体１２４の磁気を消去する。
【００９２】
消磁装置１０，８０又は１１０は、商用交流電源１２６の交流電流を受け、励磁コイルで発生する磁界が磁界発生用磁極１２８により磁性体１２４の搬送路に生じるように消磁器１２０内に収容されている。
【００９３】
消磁器１２０において、磁性体１２４は、励磁コイルで発生する磁界内を通過することにより、消磁される。
【００９４】
図７（Ｂ）を参照するに、消磁器１３０は、工具として用いられるドリルのような棒状の磁性体１３２を矢印方向へ移動させて消磁装置１０，８０又は１１０の励磁コイル１４内に通すことにより、その磁性体１３２の磁気を消去する。消磁装置１０，８０又は１１０は、磁性体１３２が励磁コイル１４内を通過するように、適宜な指示部材に配置される。
【００９５】
消磁器１３０においても、消磁装置１０，８０又は１１０は、いずれも、商用交流電源１２６の交流電流を受け、交番磁界を励磁コイル１４から発生する。これにより、磁性体１３２は、励磁コイル１４で発生する磁界内を通過することにより、消磁される。
【００９６】
いずれの消磁器１２０及び１３０においても、磁性体１２４及び１３２は、交番磁界内を１回以上通過することにより消磁される。したがって、磁性体１２４及び１３２を一回往復移動させてもよい。
【００９７】
本発明は、上記実施例に限定されず、その趣旨を逸脱しない限り種々変更することができる。
【図面の簡単な説明】
【図１】本発明で用いる通電パターンの一実施例を示す図である。
【図２】本発明で用いる通電パターンの第２の実施例を示す図である。
【図３】本発明で用いる通電パターンの第３の実施例を示す図である。
【図４】本発明に係る消磁装置の一実施例を示す電気回路のブロック図である。
【図５】本発明に係る消磁装置の第２の実施例を示す電気回路のブロック図である。
【図６】本発明に係る消磁装置の第３の実施例を示す電気回路のブロック図である。
【図７】本発明に係る消磁装置の応用例を示す図である。
【符号の説明】
１０，８０  消磁装置
１２  交流の入力端子
１４  励磁コイル
１２０，１３０  消磁器
１２２  搬送ベルト
１２４，１３２  磁性体
１２６  商用交流電源
【図１】
0004307785.tif 000002
【図２】
0004307785.tif 000003
【図３】
0004307785.tif 000004
【図４】
0004307785.tif 000005
【図５】
0004307785.tif 000006
【図６】
0004307785.tif 000007
【図７】
0004307785.tif 000008